(57)【要約】【課題】パラメータの設定を一括して行えるとともに、オペレータの意図に合う映像加工の自動切り替えができる映像加工パラメータ設定装置を提供する。【解決手段】映像信号処理装置１、映像加工パラメータ設定装置２により、映像処理装置（ビジュアル・ミキサ装置）となる。パラメータ値一括指定部３は、シーンデータメモリ６に記憶された複数のパラメータの値を一括指定する複数のシーンデータを、アルペジェータパターンメモリ７に記憶された順序に従って指定する。変更処理部４は、映像加工パラメータの値を、チェンジタイムに対応するタイミングから変更処理を開始し、映像信号処理装置１に現に設定している値から、シーンデータとして一括指定される複数のパラメータの値に、時間をかけた変更処理を行い、次の切り替えタイミングにおいて変更処理を完了する。【選択図】  図１
2004289742.tif 000002
【特許請求の範囲】
【請求項１】
映像信号を入力し該映像信号を複数のパラメータの値に応じて加工して出力する映像信号処理装置に対し、前記複数のパラメータの値を設定する映像加工パラメータ設定装置であって、
前記複数のパラメータの値をシーンデータとして一括指定するとともに、複数の前記シーンデータを指定可能なものであって、該複数のシーンデータの中から１つずつシーンデータを順次指定するパラメータ値一括指定手段と、
前記映像信号処理装置に対して設定する前記複数のパラメータの値を、前記パラメータ値一括指定手段により一括指定される前記複数のパラメータの値に変更する変更処理手段、
を有することを特徴とする映像加工パラメータ設定装置。
【請求項２】
映像信号を入力し該映像信号を複数のパラメータの値に応じて加工して出力する映像信号処理装置に対し、前記複数のパラメータの値を設定する映像加工パラメータ設定装置であって、
前記複数のパラメータの値をシーンデータとして一括指定するとともに、複数の前記シーンデータを指定可能なものであって、該複数のシーンデータ中から１つずつシーンデータを順次指定するパラメータ値一括指定手段と、
切り替えタイミングの出力を繰り返す切り替えタイミング出力手段と、
前記映像信号処理装置に対して設定する前記複数のパラメータの値を、前記切り替えタイミング出力手段から出力される前記切り替えタイミングにおいて、前記パラメータ値一括指定手段により一括指定される前記複数のパラメータの値に変更する変更処理手段を有し、
該変更処理手段が前記映像信号処理装置に対して前記パラメータ値一括指定手段により前記複数のパラメータの値を第１のシーンデータとして一括指定している状態で、前記パラメータ値一括指定手段が、前記複数のパラメータの値を前記第１のシーンデータあるいは該第１のシーンデータとは異なる第２のシーンデータとして一括指定した場合、前記変更処理手段は、前記映像信号処理装置に対して設定する前記複数のパラメータの値を、前記切り替えタイミング出力手段から前記切り替えタイミングが出力されたときに、前記第１のシーンデータあるいは該第１のシーンデータとは異なる第２のシーンデータとして一括指定される前記複数のパラメータの値に直ちに変更する処理を行う、
ことを特徴とする映像加工パラメータ設定装置。
【請求項３】
前記変更処理手段が前記映像信号処理装置に対して前記パラメータ値一括指定手段により前記複数のパラメータの値を前記第１のシーンデータとして一括指定している状態で、前記パラメータ値一括指定手段が、前記複数のパラメータの値を前記第１のシーンデータあるいは該第１のシーンデータとは異なる第２のシーンデータとして一括指定した場合、前記パラメータ値一括指定手段は、前記切り替えタイミング出力手段に前記切り替えタイミングの位相をリセットさせて前記切り替えタイミングを出力させる、
ことを特徴とする請求項２に記載の映像加工パラメータ設定装置。
【発明の詳細な説明】
【０００１】
【発明の属する技術分野】
本発明は、映像加工パラメータ設定装置および映像加工パラメータ設定用プログラムに関するものである。
特に、１または複数チャンネルの映像信号を入力して映像処理を行うビジュアル・ミキサ（ビデオミキサ）装置に適したものである。
【０００２】
【従来の技術】
音楽イベント等において、ライブ演奏のステージを撮影して得られる映像信号、ビデオテープレコーダから再生される映像信号、あるいは、パーソナルコンピュータから出力される映像信号などの、複数の映像信号の合成、切り替えなどを行い、後ろのスクリーンに映像を映す機能を有するビジュアル・ミキサ装置が知られている。
このようなビジュアル・ミキサ装置を用い、いわゆるＶＪ（Ｖｉｓｕａｌ  Ｊｏｃｋｅｙ）と呼ばれる映像オペレータが、実演奏に合わせて映像加工パラメータの設定操作を行うことにより、入力チャンネルを選択したり、オンオフしたり、各入力チャンネルの映像信号や合成された映像信号に対して視覚的な映像効果を付与したりしている。
【０００３】
映像オペレータは、従来、２つの入力チャンネルの映像信号のフェードやスイッチング等の切り替えや、各入力チャンネルの映像信号に映像効果を付与することが主であったが、特許文献１等で知られているように、シーンデータの記録再生機能を有するものが提案されている。
このビジュアル・ミキサ装置によれば、操作パネル上の複数の操作子による映像加工パラメータの設定状態を、一括してシーンデータ（リアルタイムシーンデータ）として記憶装置に記録しておき、その後にシーンデータの再生操作をすれば、何チャンネルであっても、操作パネル上の各操作子による映像加工パラメータの設定状態が一括して再現される。
なお、ビデオテープレコーダのように映像信号そのものを記録して再生するものではなく、再生された映像加工パラメータによって、入力された映像信号を切り替えあるいは合成したり、映像効果等を加えたりするものである。
【０００４】
このようなシーンデータの再生機能を用いれば、入力チャンネルの数が増えても、映像オペレータは、映像加工パラメータの設定を、ワンタッチで切り替えることができることから、リアルタイム性を残しつつ操作を半自動化することができる。その結果、音楽イベントなどにおいて、例えば、ライブでの多チャンネルの映像に対し、なるべくリアルタイムで直感的に面白い編集操作ができる。
しかし、単調で退屈な映像変化にならないように、映像加工パラメータを次々に切り替えたい場合がある。このような場合、オペレータは、シーンスイッチを次々に切り替えなければならない。
また、映像加工パラメータを映像内容および音楽演奏などの時間進行に合わせて切り替えたい場合がある。このような場合、オペレータは、時間進行に合わせてシーンデータを切り替えなければならない。
このように、一般のユーザが、都合よいタイミングで切り替わる出力映像を作り込むことはむずかしかった。
【０００５】
【特許文献１】
特開２００２−２６２１７９号公報
【０００６】
【発明が解決しようとする課題】
本発明は、上述した問題点を解決するためになされたもので、パラメータの設定を簡単な操作で一括して行えるとともに、オペレータの意図に合う映像加工の自動切り替えができる、映像加工パラメータ設定装置を提供することを目的とするものである。
【０００７】
【課題を解決するための手段】
本発明は、請求項１に記載の発明においては、映像信号処理装置に対し複数のパラメータの値を設定する映像加工パラメータ設定装置であって、前記複数のパラメータの値をシーンデータとして一括指定するとともに、複数の前記シーンデータを指定可能なものであって、該複数のシーンデータの中から１つずつシーンデータを順次指定するパラメータ値一括指定手段と、前記映像信号処理装置に対して設定する前記複数のパラメータの値を、前記パラメータ値一括指定手段により一括指定される前記複数のパラメータの値に変更する変更処理手段を有するものである。
従って、複数のシーンデータの中から１つずつシーンデータを順次指定できるので、複雑なパラメータの設定であっても一括して行えるとともに、オペレータの意図に合うように映像加工を順次切り替えることができる。
【０００８】
上述したパラメータ値一括指定手段は、例えば、複数種類の「所定の順序」を記憶手段に記憶させておくなどにより、複数種類の「所定の順序」から１つの「所定の順序」を指定可能なものであって、指定された「所定の順序」中から１つずつシーンデータを指定することにより、シーンデータを順次指定することができる。
加えて、上述したパラメータ値一括指定手段は、所定の順序の中の最後のシーンデータを指定したときには、次に該所定の順序の最初に戻って、シーンデータを指定し直すものとすることができる。これにより、順序指定するシーンデータの数が少なくても、シーンデータの数を増やし、長期間にわたってパラメータの変更処理を自動的に行うことができる。
【０００９】
なお、切り替えタイミングを出力する切り替えタイミング出力手段を備え、上述した変更処理手段は、この切り替えタイミング出力手段から切り替えタイミングが出力されたとき、上述した映像信号処理装置に対して設定する複数のパラメータの値を、上述したパラメータ値一括指定手段により順次指定されるシーンデータとして一括指定される複数のパラメータの値に変更して映像信号処理装置に設定するものとすることができる。
ここで、上述した切り替えタイミング出力手段は、切り替えタイミングの出力を繰り返すものとすることができる。なお、切り替えタイミングに所定の繰り返し周期を設定することができる。
上述した変更処理手段は、映像信号処理装置に対して設定する複数のパラメータの値を、変更開始タイミングにおいて現に設定している値から、上述したパラメータ値一括指定手段により一括指定される複数のパラメータの値まで、時間をかけて変更する機能を持たせることができる。その結果、例えば、クロスフェード補間処理のような、時間をかけた変更処理により、映像加工のなめらかな変更がオペレータの簡単な操作で実現できる。
また、上述した複数のパラメータ値は、少なくとも、１または複数チャンネルの映像のサイズおよびまたは配置を指定するものとすればよい。
【００１０】
なお、請求項１に記載の映像加工パラメータ設定装置において、前記パラメータ値一括指定手段は、前記所定の順序を書き込みかつ読み出す領域を有する記憶手段を有し、該記憶手段は、前記所定の順序が記憶されている領域に新たな順序が記憶されるときには、該領域に既に記憶されている前記所定の順序に前記新たな順序を追記記憶するものとしてもよい。
この場合、既に作成されている所定の順序を利用して新たな所定の順序を作成して書き込むことができる。
【００１１】
また、請求項１に記載の映像加工パラメータ設定装置において、前記変更処理手段は、前記映像信号処理装置に対して設定する前記複数のパラメータの値を、現に設定している値から、前記パラメータ値一括指定手段により一括指定される前記複数のパラメータの値まで、時間をかけて変更するものであり、前記パラメータ値一括指定手段は、前記所定の順序、および、該所定の順序に対応させて前記所定の変更開始タイミングを記憶する記憶手段を有するものとしてもよい。
この場合、一括指定する際に、例えば、クロスフェード補間処理のような、時間をかけた変更が自動的に行われるようになる。
【００１２】
請求項２に記載の発明においては、映像信号処理装置に対し複数のパラメータの値を設定する映像加工パラメータ設定装置であって、前記複数のパラメータの値をシーンデータとして一括指定するとともに、複数の前記シーンデータを指定可能なものであって、該複数のシーンデータ中から１つずつシーンデータを順次指定するパラメータ値一括指定手段と、切り替えタイミングの出力を繰り返す切り替えタイミング出力手段と、前記映像信号処理装置に対して設定する前記複数のパラメータの値を、前記切り替えタイミングにおいて、前記パラメータ値一括指定手段により一括指定される前記複数のパラメータの値に変更する変更処理手段を有し、該変更処理手段が前記映像信号処理装置に対して前記パラメータ値一括指定手段により前記複数のパラメータの値を第１のシーンデータとして一括指定している状態で、前記パラメータ値一括指定手段が、前記複数のパラメータの値を前記第１のシーンデータあるいは該第１のシーンデータとは異なる第２のシーンデータとして一括指定した場合、前記変更処理手段は、前記映像信号処理装置に対して設定する前記複数のパラメータの値を、前記切り替えタイミング出力手段から前記切り替えタイミングが出力されたときに、前記第１のシーンデータあるいは該第１のシーンデータとは異なる第２のシーンデータとして一括指定される前記複数のパラメータの値に直ちに変更する処理を行うものである。
従って、オペレータの恣意的な操作により、一括指定が再び行われたときには、前記第１のシーンデータあるいは該第１のシーンデータとは異なる第２のシーンデータとして複数のパラメータの値が一括して指定されることから、切り替えタイミングが出力されたときに、オペレータの意図に合うように映像加工を切り替えることができる。
【００１３】
上述したような、パラメータ値一括指定手段により複数のパラメータの値を一括指定している状態で、複数のパラメータの値を一括指定する場合としては、（１）パラメータ値一括指定（アルペジェータ自動再生）を開始させた再生スイッチの再操作によって、同一のシーンデータを再現する場合、（２）先頭戻りスイッチの操作によって、現在設定されている、順次指定するパターンの最初のシーンデータを指定する場合、（３）既に操作されている順次指定を指定するスイッチの再操作によって、同じ順次指定パターンの最初のシーンデータを指定する場合、（４）既に操作されている順次指定を指定するスイッチとは別の順次指定を指定するスイッチの操作によって、別の順次指定パターンの最初のシーンデータを指定する場合、（５）トリガスイッチの操作によって、順次指定する次のパターンのシーンデータを指定する場合、などがある。
【００１４】
請求項３に記載の発明においては、請求項２に記載の映像加工パラメータ設定装置に対し、前記変更処理手段が前記映像信号処理装置に対して前記パラメータ値一括指定手段により前記複数のパラメータの値を前記第１のシーンデータとして一括指定している状態で、前記パラメータ値一括指定手段が、前記複数のパラメータの値を前記第１のシーンデータあるいは該第１のシーンデータとは異なる第２のシーンデータとして一括指定した場合、前記パラメータ値一括指定手段は、前記切り替えタイミング出力手段に前記切り替えタイミングの位相をリセットさせて前記切り替えタイミングを出力させるものである。
従って、オペレータの恣意的な操作によって一括指定が再び行われたときには、その時点で切り替えタイミングを出力して、前記第１のシーンデータあるいは該第１のシーンデータとは異なる第２のシーンデータとして一括指定されるパラメータを直ちに指定できることから、オペレータの意図に合うように映像加工を即座に切り替えることができる。
上述したような、一括指定されるパラメータを直ちに指定する場合としては、（１）再生スイッチの再操作によって同一のシーンデータを再現する場合、（２）トリガスイッチの操作によって順次指定する次のパターンのシーンデータを指定する場合などがある。
【００１５】
例えば、パラメータ値一括指定を開始させる再生スイッチの再操作の場合は、以下のようになる。
映像信号を入力し該映像信号を複数のパラメータの値に応じて加工して出力する映像信号処理装置に対し、前記複数のパラメータの値を設定する映像加工パラメータ設定装置であって、
前記複数のパラメータの値をシーンデータとして一括指定するとともに、複数の前記シーンデータを指定可能なものであって、再生スイッチの操作により、該複数のシーンデータ中から１つずつシーンデータを順次指定するパラメータ値一括指定手段と、
切り替えタイミングの出力を繰り返す切り替えタイミング出力手段と、
前記映像信号処理装置に対して設定する前記複数のパラメータの値を、前記切り替えタイミング出力手段から出力される前記切り替えタイミングにおいて、前記パラメータ値一括指定手段により一括指定される前記複数のパラメータの値に変更する変更処理手段を有し、
該変更処理手段が前記映像信号処理装置に対して前記パラメータ値一括指定手段により前記複数のパラメータの値を第１のシーンデータとして一括指定している状態で、前記パラメータ値一括指定手段が、前記再生スイッチの再度の操作により、前記複数のパラメータの値を前記第１のシーンデータとして一括指定した場合、前記パラメータ値一括指定手段は、前記切り替えタイミング出力手段に前記切り替えタイミングの位相をリセットさせて前記切り替えタイミングを出力させるとともに、前記変更処理手段は、前記映像信号処理装置に対して設定する前記複数のパラメータの値を、前記切り替えタイミング出力手段から前記切り替えタイミングが出力されたときに、前記第１のシーンデータとして一括指定される前記複数のパラメータの値に直ちに変更する処理を行う、
ことを特徴とする映像加工パラメータ設定装置。
その結果、現在再生されている第１のシーンデータの期間延長の効果を与えることができる。
【００１６】
ここで、再生スイッチの再操作の場合に限られないが、前記変更処理手段は、前記映像信号処理装置に対して設定する前記複数のパラメータの値を、現に設定している値から、前記パラメータ値一括指定手段により一括指定される前記複数のパラメータの値まで、時間をかけて変更するものであり、前記変更処理手段は、前記切り替えタイミング出力手段から出力される隣接する切り替えタイミングの間に変更開始タイミングを指定し該変更開始タイミングの後の切り替えタイミングにおいて変更処理を完了させるものとする。
この場合、変更処理期間中に、前記再生スイッチの再度の操作があったときには、現在再生されている第１のシーンデータの最初に戻って、繰り返しの効果を与えることができる。
再生スイッチは、パラメータ値一括指定を開始させた後は、本来再操作されるものではない。そこで、上述したように、現在と同一のシーンデータを再現したい場合に、他に新たな操作子を設けることなく、この再生スイッチの再操作で実現することができる。
また、この再生スイッチの本来の機能である、パラメータ値一括指定とは、さほど違和感がない機能であるので、ユーザが再生スイッチの再操作の機能を認識しやすい。
【００１７】
上述した各請求項に記載の映像加工パラメータ設定装置は、それぞれに対応した映像加工パラメータ設定用プログラムをコンピュータに実行させることにより、実現することができる。
例えば、請求項１に記載の映像加工パラメータ設定装置に対応した映像加工パラメータ設定用プログラムは、次の通りである。
映像信号を入力し該映像信号を複数のパラメータの値に応じて加工して出力する映像信号処理装置に対し、前記複数のパラメータの値を設定するための映像加工パラメータ設定用プログラムであって、前記複数のパラメータの値をシーンデータとして一括指定するとともに、複数の前記シーンデータを指定可能なものであって、該複数のシーンデータの中から１つずつシーンデータを順次指定するパラメータ値一括指定ステップと、前記映像信号処理装置に対して設定する前記複数のパラメータの値を、前記パラメータ値一括指定手段により一括指定される前記複数のパラメータの値に変更する変更処理ステップ、をコンピュータに実行させることを特徴とする映像加工パラメータ設定用プログラム。
【００１８】
【発明の実施の形態】
図１は、本発明の映像加工パラメータ設定装置の実施の一形態を説明するための機能構成図である。
図中、１は映像信号処理装置、２は映像加工パラメータ設定装置であって、両装置により、映像処理装置、具体的にはビジュアル・ミキサ装置となる。
映像信号処理装置１は、映像信号として動画，静止画を入力し、映像信号を加工処理して出力する。１または複数（１〜Ｎ）の入力チャンネルの映像信号を同時に入力し、映像信号の加工処理をしつつ、少なくとも１つの出力チャンネルの映像信号を映像表示装置に出力する。
映像信号は、例えば、ビデオカメラ、ビデオテープレコーダ、ＤＶＤ（Ｄｉｇｉｔａｌ  Ｖｅｒｓａｔｉｌｅ  Ｄｉｓｋ）プレーヤ、パーソナルコンピュータ等から入力される。
一方、出力チャンネルの映像信号は、モニタディスプレイ、ビデオプロジェクタ等に出力される。図示の出力チャンネルは１つであるが、例えば、オペレータのモニタ用チャンネルが考えられるように、異なるミキシング処理をして出力されるチャンネルが複数設けられてもよい。
【００１９】
映像加工パラメータ設定装置２は、映像信号処理装置１が映像信号を加工するための複数のパラメータの値を設定するものである。
この映像加工パラメータ設定装置２は、切り替えタイミング（繰り返し出力される拍タイミング）の指示によりシーンデータを切り替える機能、アルペジェータパターンでシーンデータを順次切り替える機能、クロスフェード補間処理のような、時間をかけた変更処理を行う機能を有する点で、従来の「リアルタイム・シーンデータ」とは異なっている。また、上述した諸機能の組み合わせにより、種々の実施の形態が得られる。
従来の「リアルタイム・シーンデータ」の再生も可能であるし、従来の「リアルタイム・シーンデータ」の再生に対しても、繰り返し出力される拍タイミングでシーンデータを切り替えたり、時間をかけた変更処理をする機能をもたせたりすることができる。
【００２０】
パラメータ値一括指定部３は、シーンデータメモリ６およびアルペジェータパターンメモリ７を有する。パラメータ値一括指定部３は、シーンデータメモリ６に記憶された複数のパラメータの値を「ビジュアル・アルペジェータ・シーンデータ」として一括指定するとともに、複数種類のシーンデータを指定可能なものである。
シーンデータとして一括指定されるパラメータ値としては、図２（ａ），図６等を参照して後述するが、１または複数の入力チャンネルに割り当てる映像信号の選択，入力チャンネルのオンオフ，入力チャンネルの映像配置を指定するものが含まれるとよい。各入力チャンネルの映像信号の画質を任意に指定することもできる。
シーンデータを順次指定することにより、入力チャンネルに割り当てられる映像が変更されたり、画面上の表示位置が変更されたりするので、印象の強い効果的な映像信号を出力することができる。
【００２１】
パラメータ値一括指定部３は、複数の「ビジュアル・アルペジェータ・シーンデータ」の中から１つずつ、アルペジェータパターンメモリ７に記憶された所定の順序に従って順次指定することができる。その結果、複数のシーンデータを所定の順序で順次指定できることになり、複雑な映像加工が、オペレータの簡単な操作で実現することができる。
上述した「ビジュアル・アルペジェータ」という用語は、一般的な技術用語ではない。
鍵盤楽器やギターの演奏において、「アルペジオ（ａｒｐｅｇｇｉｏ）」は、和音構成音のそれぞれを時間をずらせて演奏するという「分散和音演奏」を意味している。本明細書において、「ビジュアル・アルペジェータ」（以下、単に「アルペジェータ」という）という用語は、入力された１または複数の入力チャンネルの映像信号に対する、映像加工パラメータのセットであるシーンデータを、所定の順序を指定するアルペジェータパターン（一種のシーケンスパターンである）で順次切り替えて行くという、映像加工パラメータの一つの設定手法の意味で使用している。
以下の記載では、原則として、本発明に関係する「アルペジェータ・シーンデータ」を、単に「シーンデータ」ということにする。
【００２２】
変更処理部４は、各種の設定スイッチ、設定ボリューム、フェーダ等の各操作子に対応する複数の各映像加工パラメータの値を映像信号処理装置１に設定する。
変更処理部４は、また、アルペジェータ自動再生（ドライブ）モードにおいて、再生スイッチが操作されたとき、パラメータ値一括指定部３により、複数のパラメータの値を、シーンデータメモリ６から再生されるシーンデータとして一括指定される複数のパラメータの値に変更し、映像信号処理装置１に設定する。シーンデータは、既に説明したように、複数の中から１つずつ所定の順序に従って再生される。
【００２３】
変更処理部４は、切り替えタイミング指示部５から切り替えタイミングが入力される毎に、複数のパラメータの値を、パラメータ値一括指定部２により順次指定されるシーンデータとして一括指定される、複数の対応するパラメータの値に変更する。
切り替えタイミング出力部５の内部には、周期を設定可能な拍タイミング発生部８があり、ここから繰り返して出力される拍タイミングにより、切り替えタイミングを出力することができる。従って、拍タイミングに同期してシーンデータを切り替えることができ、音楽や映像などの時間進行に合致した映像加工が、オペレータの簡単な操作で実現できる。
トリガスイッチが操作されたタイミングで切り替えタイミングを出力してシーンデータを変更することもできる。
拍タイミングに代えて、切り替えタイミングの箇々の発生タイミングを時間やクロック数で任意に設定してもよい。
【００２４】
変更処理部４は、また、映像加工パラメータの値を、チェンジタイムに対応するタイミングから変更処理を開始し、映像信号処理装置１に現に設定している値から、シーンデータとして一括指定される複数のパラメータの値に、時間をかけた変更処理を行うようにしてもよい。その際、当該切り替えタイミングにおいて、変更処理を完了し映像信号処理装置１に設定するようにする。変更処理の完了時には、シーンデータとして一括指定された複数のパラメータの値になっている。
オペレータがチェンジタイムダイアルを操作することにより、隣り合う拍位置間において、映像加工パラメータの変更処理の開始タイミングを設定できる。
【００２５】
パラメータ値一括指定部３は、シーン記録スイッチが操作されたときに、操作パネル上の複数の設定スイッチ，設定ボリューム，フェーダ等に対応した映像加工パラメータのうち、予めシーンデータとして保存することを決めたパラメータについて、操作量に応じた値をシーンデータメモリ６に保存できる。その際、シーンスイッチの操作により保存先を指定するので、複数のシーンデータを記録できる。
一方、パラメータ値一括指定部３は、パターン記録スイッチが操作されたときに、シーンスイッチを所望の順序で操作することにより、この順序をアルペジェータパターンメモリ７に保存することができる。その際、パターンスイッチの操作により保存先を指定するので、複数のアルペジェータパターンを記録できる。
【００２６】
上述したシーンデータやアルペジェータパターンは、予めプリセットして工場出荷されたものを記憶装置に保存しておいてもよい。
操作パネル上の操作子に対応しない映像加工用のパラメータをシーンデータに含ませてもよい。
また、シーンデータやアルペジェータパターンを、予め決められたアルゴリズムで自動作成するようにしてもよい。この場合、アルゴリズムを記憶しておくだけでよい。
【００２７】
図２は、図１に示した機能構成によるシーンデータの切り替え方法の説明図である。図中、図２（ａ）は１つのシーンデータ、図２（ｂ）は、所定の順序に従って順次指定される複数のシーンデータを示す説明図である。
図２（ａ）に示すように、シーンデータとして一括指定される複数の映像加工パラメータとして、入力チャンネルに割り当てる映像信号の選択、入力チャンネル毎の、画質調整，映像配置（映像の縦横サイズや、全体の画面上における映像の配置），レベルに関するパラメータなどがある。
その他、出力映像信号のチャンネルに対してパラメータを設定してもよい。
図２（ｂ）に示すように、複数のシーンデータは、予め決められた順序（アルペジェータパターン）に従って、シーンａデータ→シーンｂデータ→シーンｃデータ→……というように順次指定され、典型例では、拍位置毎に切り替えられる。オペレータがアルペジェータパターンの記録に際し、シーンスイッチ１，２，３，……を所望の順番で操作したときの順序が、アルペジェータパターンメモリ７に記憶されており、このパターンが再生される。
【００２８】
変更処理部４において、クロスフェード補間処理をする場合は、各順序（１），（２），（３）に対し、チェンジタイム（１），（２），（３）が隣接する拍位置の間に指定される。
アルペジェータパターンは、「ループ」指定および「ループ回数」を指定できる。所定の順序の中の最後のシーンデータを指定したときに、次に当該所定の順序の最初に戻って、シーンａデータを指定できる。
アルペジェータモード中、または、各種設定スイッチ等のリアルタイム操作を同時に可能としてもよく、これを禁止するようにしてもよい。
アルペジェータパターンには、複数のシーンデータが含まれる。その中で、同じシーンデータが複数回含まれてもよい。また、１つのシーンデータしか含まない場合があってもよいし、この場合も、「ループ」指定を可能としてよい。
【００２９】
上述した説明は、パラメータ値一括指定部３のアルペジェータ自動再生モードでの動作である。
この他、アルペジェータ・プッシュンプッシュ（Ｐｕｓｈ’ｎ  Ｐｕｓｈ）モードでは、再生スイッチを操作しないで、オペレータが複数のシーンスイッチを操作して行く毎に、対応するシーンデータにより一括指定される映像加工パラメータを、次の切り替えタイミングにおいて設定する。
また、アルペジェータ・ジョグ（Ｊｏｇ  ｓｈｕｔｔｌｅ）モードでは、２つのシーンデータを割り付け、ジョグシャトルの操作量に応じて両シーンデータ間でクロスフェード補間処理を行った映像加工パラメータを設定する。
【００３０】
図３は、図１に示した機能構成による映像効果の一具体例を示す説明図である。
図３（ａ）はシーンａデータとして映像加工パラメータを一括指定したときに表示される画面、図３（ｃ）はシーンｂデータとして映像加工パラメータを一括指定したときに表示される画面、図３（ｂ）はクロスフェード補間処理を行う変更処理期間中の、あるタイミングで表示される画面である。映像信号により表される情報自体は、時間進行とともに変化する。
図中、１０は出力チャンネルの映像信号により表示される画面、１１〜１４は入力チャンネル１〜４の映像信号のみにより表示される映像である。
図示の例では、各入力チャンネルを「レイヤモード」に設定し、かつ、入力チャンネル間のクロスフェード合成をしない場合について説明している。従って、入力チャンネル１〜４の映像信号のみにより表示される映像が重なる場合に優先順位がある。優先順位は、前面側から背面側への順番として入力チャンネル１＞２＞３＞４・・であるが、任意に優先順位を設定できるようにしてもよい。レイヤモードとしないチャンネルは背景となる。
【００３１】
入力チャンネル１の映像信号のみにより表示される映像１１は、図３（ａ）から図３（ｃ）に変更されたときには、映像サイズが拡大され、映像位置（中心位置）が右下方向に移動するようにパラメータが変更されている。図３（ｂ）においては、変更期間中の時間経過に応じた映像サイズおよび映像位置になる。
一方、入力チャンネル２の映像信号のみにより表示される映像１２は、図３（ａ）から図３（ｃ）に変更されたときに消失する。図３（ｂ）においては、変更期間中の時間経過に応じた不透明度の映像になる。すなわち、入力チャンネルがオンとなっているシーンａデータから、オフとなっているシーンｂデータへのクロスフェード補間処理は、各入力チャンネルのゲイン（輝度信号Ｙ，色差信号Ｃｒ，色差信号Ｃｂの各利得）について行う。
【００３２】
入力チャンネル３の映像信号により表示される映像１３は、図３（ａ）から図３（ｃ）に変更されたときには、映像サイズが拡大され、映像位置が右上方向に移動するようにパラメータが変更されている。図３（ｂ）においては、変更期間中の時間経過に応じた映像サイズおよび映像位置になる。
入力チャンネル４の映像信号により表示される映像１４は、図３（ａ）においては存在しないが、図３（ｃ）に変更されたときには出現している。図３（ｂ）においては、変更期間中の時間経過に応じた不透明度（各入力チャンネルのゲイン）の映像になっている。
図示の例では、各入力チャンネルの映像の縦横比や画質については変更していないが、これらについても変更できるとともに、変更期間中においてクロスフェード補間処理をすることができる。
【００３３】
図２，図３を参照した説明では、２つのシーンデータ間の切り替えについて説明した。この他、オペレータが設定操作子をリアルタイムで操作してパラメータを映像信号処理装置１に設定している状態において、パラメータ値一括指定部３により、シーンデータが読み出され、所定の切り替えタイミングで、映像加工パラメータが一括設定される場合も同様である。この場合は、図３（ａ）の画面を、現在の状態の画面であるとみなせばよい。変更期間中のクロスフェード補間処理についても、シーンａデータにより一括指定される映像加工パラメータを、映像信号処理装置１に対し現に設定している映像加工パラメータに置き替えて考えればよい。
【００３４】
図４は、図１に示した機能構成によるシーンデータの変更処理を示す第１の説明図である。
図４（ａ）はアルペジェータパターンを示す図である。アルペジェータパターンメモリ７には、アルペジェータパターンとして、［シーンａ］→［シーンｂ］→［シーンｃ］という「シーンデータを特定する情報」によって、３シーンからなる順序が指定され、各順序におけるチェンジタイムとして、２５％，２５％，５０％が指定されているものとする。
図４（ｂ）はアルペジェータパターンによって順次切り替えられて行くシーンデータの変更処理の一具体例を示す図である。
横軸は時間、縦軸は映像加工パラメータに乗算する補間係数であって、０以上１以下である。
【００３５】
チェンジタイムから開始される変更処理期間において、各映像加工パラメータについて、変更前の値（現在の設定値）に乗算する補間係数を１から０まで漸減させる。
変更後のシーンデータにより指定される変更後の各映像加工パラメータについて、変更後の値に乗算する補間係数を０から１まで漸増させる。
次に、各映像加工パラメータについて、上述した補間係数が乗算された変更前の値と、上述した補間係数が乗算された変更後の値とを加算した値を、変更処理期間中の値とする。
このような演算処理により、クロスフェード補間処理がなされる。補間係数の変化カーブは、直線的なものに限らず、カーブ形状を任意に決めることができ、また、変更前の値に乗算する補間係数と変更後の値に乗算する補間係数との合計値は１とするが、特殊な効果をねらうときには、必ずしも１にしなくてよい。
【００３６】
変更処理は、一括指定される拍位置とその１つ前の拍位置との間に開始タイミングが設定され、隣接する拍位置の間隔を基準（１００％）として、開始タイミングが何％の位置にあるかを示すチェンジタイムの値によって決定される。
チェンジタイムが１００％のときは、１つ前の拍位置から既に補間処理がなされ、チェンジタイムが０％のときは、補間処理されることなく、拍位置になったとき、瞬時に変更される。
上述したクロスフェード補間処理は、変更前の映像から時間をかけて徐々に、変更後の映像に変化させる一手法である。従って、このような時間をかけて変化する映像が得られる手法であれば、クロスフェード補間処理に限られない。
【００３７】
図４（ｂ）においては、アルペジェータ自動再生の開始タイミングが、補間処理の開始タイミングよりも前であった。従って、シーンａデータからシーンｂデータまでの変更処理と同様な変更処理によって、「現在の設定値」から最初のシーンａデータにより設定される値に切り替えできた。しかし、開始タイミングと拍位置との関係によっては、異なる変更処理を行う必要がある。
図４（ｃ）〜図４（ｅ）は、自動再生開始時のシーンデータ変更処理を示す図である。拍位置の間をＡ，Ｂ，Ｃという３期間に分けて示している。
図４（ｃ）に示すように、まず、自動再生の開始タイミングが、拍位置のマージン期間Ａ内にあるときは、この拍位置で開始タイミングの指示がなされたと見なし、最初のシーンａデータにより一括指定される映像加工パラメータを、映像信号処理装置１に直ちに設定する。
【００３８】
図４（ｄ）に示すように、自動再生の開始タイミングが、拍位置のマージン期間Ａを過ぎ、かつ、最初のシーンａデータに指定されたチェンジタイム（１）になるまでの、Ｂの期間であるとき、パラメータの値を、映像信号処理装置１に現に設定している「現在の設定値」から、最初のシーンａデータとして一括指定される複数のパラメータの値まで時間をかけて変更する（チェンジタイム（１）のタイミングから開始し次の拍位置まで）。
図４（ｅ）に示すように、自動再生の開始タイミングが、最初のシーンａデータに指定されたチェンジタイム（１）を過ぎ、かつ、次の拍位置のマージン期間Ａ外である、Ｃの期間内であるときは、時間をかけた変更処理を行わず、パラメータの値を、次の拍位置において直ちに、最初のシーンａデータとして一括指定されるパラメータの値に変更させる。
図示の例では、マージン期間Ａを設定することにより、自動再生の開始タイミングがこの期間内あるときには、切り替えタイミングで一括指定されたと見なすことにより、自動再生の開始タイミング操作のばらつきを考慮して、オペレータの操作の意図に合うようにパラメータの値を変更している。しかし、このマージン期間Ａを無くして、拍位置の間をＢ，Ｃのみにしてもよい。
【００３９】
上述したように、アルペジェータ自動再生の開始タイミングの位置に応じて変更処理を異ならせることにより、自動再生の開始時においても、拍タイミングに同期して違和感の少ない変更処理を行うことができる。
なお、上述した変更処理に代えて、最後のシーンｃデータが指定されたときには、次に、最初のシーンａデータが再生される前において映像信号処理装置１に設定していた「現在の設定値」に戻す手法を採用してもよい。「現在の設定値」自体を、一括して１つのシーンデータとして一時保存しておき、アルペジェータパターンの最後に読み出せばよい。この場合にも、クロスフェード補間のような、時間をかけた変更処理期間を設けることができる。その際のチェンジタイムは、自動再生時におけるチェンジタイムダイアルの操作量により決定すればよい。
【００４０】
図５は、図１に示した機能構成を実現する映像処理装置の操作パネルの一具体例を示す説明図である。
図中、２１は操作パネルである。この操作パネル２１には、本発明には直接関係しない操作子も示されている。
各入力チャンネル１〜４に対応してチャンネル別の操作子およびチャンネルを指定して操作する共通の操作子があり、映像信号を加工するパラメータの値が設定される。
【００４１】
２２は操作パネル２１に印刷された、各チャンネルを示す表示パターンである。表示器４０の表示画面において、選択された入力チャンネルの映像サイズや配置を表示するために用いられる。この図では、クロスフェーダ３５の入力Ａ，入力Ｂ，Ｔｈｒｕ（スルー）別の映像が表示されている。
２３は、４つの映像信号入力端子および１つの静止画入力端子（Ｅｘｔｅｒｎａｌ）に入力される映像信号を、入力チャンネル１〜４のいずれに割り当てるかを決めるスイッチ（５ｉｎ１セレクタ）である。入力端子と入力チャンネルとは、必ずしも１対１対応させる必要はなく、１つの入力端子に入力される映像信号を、２以上の入力チャンネルに分配したり、２つの入力端子に入力される映像信号を合成して１つの入力チャンネルに供給することもできる。
２４は各チャンネルの使用／不使用（ＯＮ／ＯＦＦ）を設定するスイッチである。
２５は各チャンネルの映像信号のポジ／ネガを切り替えるポジ表示／ネガ表示選択スイッチである。２６はトリム（ＴＲＩＭ）ボリューム（Ｙ，Ｃ共通のゲインボリューム）、２７は色調整（ＨＵＥ）ボリューム、２８は色ゲイン（ＣＯＬＯＲ）ボリュームである。
２９はアサイナブルボリュームであって、チャンネル共通制御部４１で設定される映像加工パラメータの中から１つの映像加工パラメータを、このボリュームに割り付けることができる。
【００４２】
３１はクロスフェーダ３５のＡ入力，Ｂ入力，スルー（クロスフェーダ３５を通さない）のいずれに送るかを選択するクロスフェーダアサインスイッチであり、３０は選択状態を表示する発光ダイオードである。
３２は各入力チャンネルのレベルを調整するフェーダであり、３３はフェーダ３２の現在の操作量を表示する発光ダイオードによるレベルメータである。
３４は合成された映像信号のレベルを調整する出力チャンネル（メイン）フェーダである。
３５はクロスフェーダであって、Ａ入力，Ｂ入力に送られた信号の混合比を設定する。３６はクロスフェード方法（ディゾルブＤｉｓｓｏｌｖｅセレクト）を設定する各種のスイッチである。
【００４３】
３７は従来のリアルタイムシーンデータの設定をする各種のスイッチである。
３８はメモリ・カードからＥｘｔｅｒｎａｌ入力端子に静止画をロードする関係のスイッチである。
３９はシステム制御関係のスイッチであり、全ての操作に関する決定（Ｅｎｔｅｒ），中止（Ｃｈａｎｃｅｌ），消去（Ｄｅｌｅｔｅ）等を行う。
４０は映像加工パラメータの設定状況を示す表示器である。
４１はチャンネル共通制御部であり、設定するチャンネルを指定して使用される、各種のスイッチ群やロータリエンコーダ群である。これに関連して、映像加工パラメータの種類を指定するスイッチ群４２がある。各入力チャンネルの、映像の場所移動（Ｐｏｓｉｔｉｏｎ），多分割表示数（Ｄｉｖｉｓｉｏｎ），映像の反転（Ｒｅｖｅｒｓｅ：左右，上下，両軸），フレームレート（ＦＬ．Ｒａｔｅ：毎秒の映像フレーム数），映像のサイズ（Ｓｉｚｅ），歪み（Ｄｉｓｔｏｒｔｉｏｎ：歪み度、ＬＦＯスピード、歪み種類），レイヤ（Ｌａｙｅｒ：レイヤ表示の可否）などがある。
【００４４】
４３はアルペジェータモードとリアルタイムモードとを交互に切り替えるアルペジェータモード選択スイッチである。
４４はジョグシャトルであって、各入力チャンネルの映像加工パラメータの微調整を行うほか、シーンデータアサインスイッチＡ，Ｂ、アルペジェータ・ジョグスイッチ等４５とともに、アルペジェータ・ジョグモードの制御にも用いられる。
４６はアルペジェータ自動再生（ドライブ）モード関係の操作子であって、拡大図である図６を参照して説明する。
【００４５】
図６は、図５に示した操作パネルの一部分を拡大した説明図である。
システム制御関係のスイッチ３９も示しているが、これらは、後述するフローチャートの説明で引用するものであり、７０は左方向指示［＜］スイッチ，７１は右方向指示［＞］スイッチ，７２は消去［Ｄｅｌｅｔｅ］スイッチ，７３は中止［Ｃｈａｎｃｅｌ］スイッチである。
アルペジェータ自動再生モード関係の操作子４６において、５４はシーンスイッチであって、複数のシーンデータの個別の格納場所を指定する。
図示の例では、Ａ〜Ｄ系列として、６×４＝２４個のボタンスイッチが用いられている。シフト［ｓｈｉｆｔ］スイッチ５５を同時に操作すれば、各ボタンスイッチは、Ａ〜Ｄ系列に代えて、Ａ’〜Ｄ’系列の別の格納場所を指定できるので、計４８個のアルペジェータ用のシーンデータを記憶することができる。
シーン記録［ＳＴＲ］スイッチ５６は、シーンデータの記録を指示する。
５１はパターンスイッチであって、複数のアルペジェータパターンを記憶させる個別の格納場所を指定する。
図示の例では、シフト［ｓｈｉｆｔ］スイッチ５２を同時に操作すれば、各ボタンスイッチは、Ａ系列に代えてＡ’系列の別の格納場所を指定できるので、計１２個のアルペジェータパターンを記憶することができる。
パターン記録［ＳＴＲ］スイッチ５３は、パターンの記録を指示する。
【００４６】
図７も参照しながら、シーンデータおよびアルペジェータパターンについて詳しく説明する。
図７は、図１に示した機能構成におけるシーンデータおよびアルペジェータパターンを示すメモリ構成図である。
図７（ａ）はシーンデータを記憶するメモリ領域の説明図であり、シーンスイッチ５４の１つに対応して、シーンデータの記録／再生領域が指定される。説明を簡単にするため、シーン１データ〜シーン６データがメモリに保存されているものとする。
図７（ｂ）はアルペジェータパターンを記憶するメモリ領域の説明図であり、パターンスイッチ５１の１つに対応して、アルペジェータパターンの記録／再生領域が指定される。
例えば、アルペジェータパターン（１）〜（４）がメモリに保存されているものとし、アルペジェータパターン（１）には、「シーンデータを特定する情報」として、「シーンａ１」〜「シーンｅ１」が保存されている。図示の例では、シーンデータを特定する情報が保存されている順序に従って、アルペジェータパターンが指定される。
パターンの長さは任意であり１つでもよい。
【００４７】
図示の例では、「シーンデータを特定する情報」とともに、アルペジェータパターンの各順序に対応させてチェンジタイム（１１）〜チェンジタイム（５１）が保存されている。これらのチェンジタイムは、シーンスイッチ５４を１つずつ順番に操作してシーンを指定して行った際の、チェンジタイムダイアル５９の操作量に応じた値である。
「ループ」、必要ならば「ループ回数」を、自動再生時にオペレータのその都度の操作によって指定してもよいが、あらかじめ、アルペジェータパターンメモリの最後のシーンの後に、指定を記録しておいてもよい。
シーンデータとして記録されるパラメータは、操作パネル２１上の設定操作子等によって設定される全てのパラメータである必要はない。クロスフェーダアサインスイッチ３１，出力チャンネルフェーダ３４，クロスフェーダ３５等のように、主としてリアルタイムでの手動調整を意図するものについては、除外しておくことが望ましい。
従って、シーンデータとして記憶させる対象のものとしては、各チャンネルに独立して設定されるパラメータ（クロスフェーダアサインを除く）、全チャンネルに共通して設定されるパラメータ、フォトロード関係のパラメータである。
【００４８】
各入力チャンネルのフェーダ３２による映像加工パラメータは、再生時に、その設定レベルがフェーダ３２の摘みの現在位置と不一致となる場合がある。一方、レベルメータ３３の表示は、設定されたレベルを常に指示している。
その後のフェーダ３２の手動設定操作を有効にするためには、フェーダ３２の摘み位置をレベルメータ３３の表示位置に一度合わせたり、通過させたりすることを条件とすればよい。あるいはモータドライブのフェーダ３２として、フェーダ３２の摘み位置をシーンデータに設定された映像加工パラメータに対応した操作位置に自動移動させるようにしてもよい。
各シーンスイッチ５４は、一括指定させたい映像加工パラメータに対応した全ての操作子による現在の設定状態しか記録できないのではない。オーバダビングの手法を用い、入力チャンネル毎に分けるなどして、複数回に分けて映像加工パラメータの記録を行い、各回で得られた映像加工パラメータを合成したものを、新たなシーンデータとして記録することもできる。
【００４９】
再び図６に戻って説明を続ける。
シーンデータを指定する順序は任意であるが、操作パネル上に並んだ、シーンスイッチ５４の配列、例えば、各系列Ａ〜Ｄ，Ａ’〜Ｄ’のその順番１〜６の並びが各１つのアルペジェータパターンとなるようにしてプリセット記憶させてもよい。
ビュー［Ｖｉｅｗ］スイッチ５８が操作されると、表示器４０の表示画面に、操作されたあるシーンスイッチ５４により選択されているシーンデータの概略が表示される。次に、同じシーンスイッチ５４を再操作すると、初めてこのシーンスイッチ５４によって指定されるシーンデータが選択されたことになる。
プリセットパターン［Ｐａｔｔｅｒｎ］スイッチ５７は、複数種類のプリセットシーンデータを読み出すためのスイッチであり、操作する度に、次々と異なるプリセットシーンデータが読み出される。ジョグシャトル４４の操作によっても、異なるプリセットシーンデータを次々に読み出すことができる。
【００５０】
あるパターンスイッチ５１、例えば、パターン１スイッチに対応するメモリ領域に、既にアルペジェータパターン（１）の所定の順序が記憶されている場合に、再びこのパターン１スイッチを操作して同じメモリ領域を指定し、新たにシーンスイッチ５４を順次操作したときには、既に記憶されている所定の順序に前記新たな順序を追記するように記憶することができる。
すなわち、図７（ｂ）において、シーンｅ１の次に、新たなシーンｆ１，シーンｇ１，……が記録される。このようにすることにより、アルペジェータパターンをつないで長いパターンを作成することができる。
【００５１】
５９は既に説明したチェンジタイムダイアルであって、テンポの拍間隔を１００％として、変更を開始させるタイミングを指定する。
６０はリアルタイム／メモリ［ＲＴ／Ｍｅｍ］選択スイッチであって、変更の開始タイミングを、図７（ｂ）のアルペジェータパターンに記憶されているチェンジタイムを用いて決めるのか、再生中のチェンジタイムボリューム５９の操作状態によって決めるのかを選択する。
６１はテンポダイアルであって、メイン系統のテンポ（拍タイミングの繰り返し周期）を基準として、相対的にサブ系統のテンポを設定する。すなわち、サブテンポはメインテンポに対し、どの程度速いか遅いかを調整する。設定可能なテンポは、２５四分音符／分〜４００四分音符／分である。
６２は、サブ系統の拍タイミングを選択中であるときに、その拍位置毎に発光する発光ダイオードである。
【００５２】
６３はテンポタップスイッチであって、メイン系統のテンポを決定する。このタップスイッチ６３を少なくとも２回叩いた内で、最後の所定回数（任意に設定可能）だけ叩いたときの、各タイミング間隔の平均値をメイン系統のテンポとして設定する。
６４は、メイン系統の拍タイミングを選択中であるときに、その拍位置毎に発光する発光ダイオードである。
ダイアル／タップ切り替えスイッチ６５は、上述したタップスイッチ６３による拍位置とテンポダイアル６１による拍位置のどちらを使用するか、すなわち、メイン／サブのいずれの系統を使用してシーンデータの切り替えを行うかを設定する。
【００５３】
図８は、図１に示した機能構成における切り替えタイミング出力部５の機能を示す説明図である。
タップスイッチ６３によるメイン系統の拍位置（切り替えタイミング）を拍位置ｍ、テンポダイアル６１によるサブ系統の拍位置（切り替えタイミング）を拍位置ｓとして表示している。
図示の例では、２系統の拍タイミングを並行して同時発生させておき、いずれか一方を出力する。
ダイアル／タップ切り替えスイッチ６５の操作により、メイン系統からサブ系統に切り替えたときは、サブ系統の拍タイミング位相をリセットするとともに、拍位置ｓを出力する。
【００５４】
サブ系統は、演奏が盛り上がったときに、映像加工パラメータを激しく切り替えたいときなど、一時的にテンポを上げたい場合に使用する。あるいは、逆に、一時的にテンポを下げたいときにも使用できる。それぞれのテンポは並列に動いているから、即座に切り替えが可能である。特に、サブテンポに切り替えたときは、直ちにシーンデータを切り替えることになるので、状況に即座に反応できる。
一方、図示の例では、ダイアル／タップ切り替えスイッチ６５の操作により、サブ系統からメイン系統に切り替えたときは、メイン系統の拍タイミングをリセットすることなく、拍位置ｍを出力する。
メインテンポに戻るときに、メイン系統の拍タイミング位相リセットしてシーンデータを直ちに切り替えてもよい。しかし、メイン系統の拍タイミング位相リセットしないでおけば、一時的な拍タイミング変更の後、再び定常的な繰り返し周期の位相で拍位置ｍが出力されるので、一時的な効果を際立たせることができて好都合である。
【００５５】
図示の例では、２系統の拍タイミングを設けたが、３以上であってもよい。独立して設定されるメイン系統が複数あってもよい。
上述した発光ダイオード６２，６４は、メイン／サブの選択状態識別を兼ねているが、メイン系統／サブ系統の拍位置ｍ，拍位置ｓをモニタできるように、常に、それぞれの拍タイミングの瞬時に点灯するものでもよい。その際、出力されている系統を識別できるようにするため、出力されている系統側の発光ダイオードの輝度を他方よりも高くしたり、発光色を異ならせたりしてもよい。
【００５６】
図９は、図１に示した機能構成によるシーンデータの変更処理を示す第２の説明図である。
図６，図４をあわせて参照しながら、アルペジェータ自動再生モード中において、先にアルペジェータ自動再生を開始させた再生スイッチ６７，一時停止スイッチ６８，先頭戻りスイッチ６９，アルペジェータパターンスイッチ５１，トリガスイッチ６６が操作されたときのシーンデータ変更処理について説明する。
アルペジェータパターン（１）として、シーンａ１，シーンｂ１，シーンｃ１からなる３個のシーンが指定されるものとする。
図９（ａ）に示すように、シーンｂ１データとして一括指定されている状態において、再生スイッチ６７（本来は再操作されることがない）を再操作する。
そうすると、拍タイミング（メイン／サブのうち選択されている方の系統）の位相をリセットし、拍の頭に戻って切り替えタイミングを出力する。このとき、現在再生されているシーンｂ１データを再び指定し、直ちに、シーンｂ１データとして一括指定される複数の映像加工パラメータの値を再現する。
【００５７】
ここで、まず、再生スイッチ６７を再操作したタイミングが、図示のように、変更開始タイミングよりも以前であるときは、現在再生されているシーンｂ１データの期間を延長することができる。
特に、再生スイッチ６７を再操作したタイミングがチェンジタイム（３１）後の変更処理期間内であったときは、クロスフェード補間処理を中断し、シーンｂ１データとして一括指定された複数の映像加工パラメータの値が直ちに再現される。
あるいは、アルペジェータ自動再生モード中においても、オペレータが設定スイッチ等を手動操作することを許容した場合において、手動操作によって変更された映像加工パラメータの値を、再びシーンｂ１データとして一括指定された複数の映像加工パラメータの値に再現されることができる。
従って、現在再生されているシーンデータの期間延長、さらには、現在再生されているシーンデータの最初に戻って、繰り返しの効果を与えることができる。
【００５８】
図９（ｂ）に示すように、一時停止スイッチ６８が操作されたときは、拍位置となっても映像信号処理装置１に現に設定している値を変更しないで、現状を維持するようにする。拍タイミングはリセットされない。
次に、この一時停止スイッチ６８を再び操作したときは、次の拍位置から次のシーンデータを再生させる。その際、再び操作したタイミングと次のシーンデータに対する変更処理開始タイミングとの関係に応じて、図４（ｃ）〜（ｅ）と同様に、補間処理の方法を変えてもよい。
【００５９】
図９（ｃ）に示すように、先頭戻りスイッチ６９が操作されたときは、拍タイミングの位相はリセットさせないで、次の拍位置において、映像加工パラメータの値を、映像信号処理装置１に現に設定している値（手動設定操作がない場合、現在のシーンｂ１データとして設定している値）から、現在において設定されているアルペジェータパターン（１）の最初のシーンａ１データとして一括指定される値に変更させる。以後、拍位置になる毎にアルペジェータパターン（１）の順序に従って、シーンｂ１データ，シーンｃ１データが順次指定され、それぞれにより一括指定される複数のパラメータの値に変更させる。拍タイミングの位相はリセットしない。
【００６０】
図９（ｄ）に示すように、任意のアルペジェータパターンスイッチ、例えば、パターン２スイッチが操作されたとき（既に操作されているパターンスイッチ１も可）は、複数の映像加工パラメータの値を、映像信号処理装置１に現に設定している値から、操作されたアルペジェータパターン（２）の最初のシーンａ２データとして一括指定される値に変更させる。以後、拍位置になる毎に、操作されたアルペジェータパターン２スイッチに対応したアルペジェータパターン（２）に従う所定の順序に従って、シーンａ２データ，シーンｂ２データ，…を順次指定される。この場合も、拍タイミングの位相はリセットしない。
図９（ｅ）に示すように、トリガ［Ｔｒｉｇｇｅｒ］スイッチ６６が操作されたときは、拍タイミング（メイン／サブのうち選択されている方の系統）の位相をリセットし、切り替えタイミングを出力することにより、シーンの開始タイミングを調整する。アルペジェータパターン（１）の順序に従って、次のシーンｃ１データが指定される。
上述した図９（ａ）〜図９（ｅ）において、自動再生中の各スイッチの操作タイミングが、補間処理中であったときには、補間処理を停止してもよい。
【００６１】
最後の図９（ｆ）は、アルペジェータ自動再生モードではなく、アルペジェータ・プッシュンプッシュモードにおける変更操作を示すものである。
図５に示したアルペジェータモード選択スイッチ４３によりアルペジェータモードになっているとき、最初に、任意のシーンスイッチ５４が操作されると、アルペジェータ・プッシュンプッシュモードになるとともに、最初のシーンデータ（図示の例では、シーンａ１データとする）により一括指定される複数の映像加工パラメータが直ちに設定される。
以後、任意のシーンスイッチ５４が順次操作されると、拍位置になる毎に、操作されたシーンスイッチに対応したシーンデータが選択されて、映像加工パラメータが一括して設定される。後続のシーンデータは、チェンジタイムダイアル５９の現在値に応じて変更を開始するチェンジタイムが設定され補間処理がなされる。
【００６２】
図４（ｃ）〜図４（ｅ）の再生スイッチ６７の操作と同様に、後続する任意のシーンスイッチ５４の操作タイミングがチェンジタイムより後になる場合は、補間処理を行わないようにしてもよいし、また、切り替えタイミングにマージンを設けて、後続する任意のシーンスイッチ５４の操作タイミングがマージン内に入る場合は、直ちに新たなシーンデータにより一括指定される映像加工パラメータを設定してもよい。
【００６３】
図１０は、図１に示した機能構成を実現する映像処理装置のハードウェア構成例を示すブロック図である。
図中、ＣＰＵ７２は、ＲＯＭ７３に格納された制御プログラムや各種データを用い、ＲＡＭ７４をワークエリアとして、図１に示した映像信号処理装置１、映像加工パラメータ設定装置２を有する装置の制御動作を行う。
バス７１を介し、図５，図６に示した操作パネル２１上のアルペジェータ自動再生モード関連の各種操作子４６、その他の操作子７６の操作イベントを検出して、複数の映像加工パラメータを映像信号処理部８２およびアナログ／ディジタル変換部８０１〜８０Ｎに設定することにより、入力チャンネルの選択，オンオフ，画質，映像配置等の映像加工をする。
複数の映像加工パラメータは、シーンデータ，アルペジェータパターンの記憶部７５（例えば、フラッシュメモリ等の半導体メモリ・カードとする）に記憶（Ｓａｖｅ）させたり、これから読み出して装置本体のＲＡＭ７４に書き込む（Ｌｏａｄ）ことができる。インターフェース７７を経由して、外部装置からシーンデータ，アルペジェータパターンの記憶部７５に書き込むこともできる。
【００６４】
８０１〜８０Ｎは、アナログ／ディジタル変換部（ディジタルビデオデコーダ）であり、フレームバッファ８１１〜８１Ｎを介して映像信号処理部８２に接続される。図５に示した、チャンネル共通制御部４１および映像加工パラメータの種類を設定するスイッチ群４２により操作されるフレームレートのパラメータによって、フレームレートが可変制御される。また、フレームレートは、リアルタイム・シーンデータ、アルペジェータ・シーンデータによっても指定可能である。また、ジョグシャトル４４の操作により調整することもできる。
アナログ／ディジタル変換部８０１〜８０Ｎは、アナログのコンポジット信号（映像信号，カラーバースト，複合同期信号）形式の映像信号を、ディジタルデータのコンポジット信号に変換する。その際、映像信号は、輝度信号（Ｙ信号），色差信号（Ｃｂ信号），色差信号（Ｃｒ信号）に分離する。
複数の入力チャンネル１〜Ｎの映像信号は必ずしも同期していないので、各入力チャンネル１〜Ｎの映像信号を、フレームバッファ８０１〜８０Ｎに取り込み、同期タイミングを合わせてから映像信号処理部８２に出力する。
【００６５】
映像信号処理部８２は、例えばＤＳＰ（Ｄｉｇｉｔａｌ  Ｓｉｇｎａｌ  Ｐｒｏｃｅｓｓｏｒ）で実現する。ＣＰＵ７２により、入力チャンネル、ミキシング信号経路等を含む映像加工パラメータの値が設定され、入力された映像信号に対してリアルタイムで混合する。
映像出力回路（ディジタルビデオエンコーダ）８３は、映像信号処理部８２から出力される映像信号のＹＣｒＣｂ信号からアナログコンポジット信号を生成し、図示しないビデオプロジェクタ等の映像表示装置に出力して、出力映像信号に応じた画面を構成して表示させる。
上述した説明では、コンポジット信号を入出力信号としているが、パーソナルコンピュータからディスプレイ装置に出力する映像信号を上述したコンポジット映像信号に変換して入力したり、ディジタル映像信号を直接にフレームバッファ８１に入力したりしてもよい。また、入出力される映像信号はＹＣｒＣｂ信号に限らず、ＲＧＢ信号のような映像の輝度や色合いを表す信号であればどのような信号でもよい。
【００６６】
バス７１には、外部のパーソナルコンピュータ等と接続するためのインターフェース７７が接続されている。外部のパーソナルコンピュータは、その表示画面に操作子を表示させ、キーボード，マウスを使用して、ＧＵＩ（グラフィカルユーザインターフェース）による操作子操作を行い、ＣＰＵ７２と同様に、映像信号処理部８２を制御することが可能である。インターフェース７９として、本来は楽器演奏データの転送用であるＭＩＤＩ（Ｍｕｓｉｃａｌ  Ｉｎｓｔｒｕｍｅｎｔ  Ｄｉｇｉｔａｌ  Ｉｎｔｅｒｆａｃｅ）インターフェースを用いることもできる。
図１０に示したビジュアル・ミキサは、インターフェース７７を経由して、もう一台のビジュアル・ミキサと接続し、マスター機側の操作に同調してスレーブ機側のクロスフェーダ，リアルタイムシーンメモリ，アルペジェータ自動再生モードを含むビジュアル・アルペジェータ全般，ディゾルブセレクトの操作を可能とする。
【００６７】
ＲＯＭ７３の少なくとも一部をフラッシュメモリとすれば、制御プログラムの更新ができる。制御プログラムは、インターフェース７７を介しサーバからダウンロードしてもよいし、メモリ・カードからインストールしてもよい。
外部記憶装置として、ＨＤＤ（ハードディスクドライブ）、ＣＤ−ＲＯＭ（コンパクトディスク・リード・オンリィ・メモリ），ＭＯ（Ｍａｇｎｅｔｏ  Ｏｐｔｉｃａｌ  Ｄｉｓｋ），ＤＶＤ（Ｄｉｇｉｔａｌ  Ｖｅｒｓａｔｉｌｅ  Ｄｉｓｋ）等の記録媒体用のドライブをバス７１接続すれば、ＨＤＤに制御プログラムをインストールしてもよい。また、ＨＤＤから読み出した映像信号を入力したり、ＨＤＤに映像信号処理された出力映像信号を書き込んだりすることができる。
【００６８】
図１１は、図１に示した機能構成における映像信号処理装置１を説明するための信号経路図である。
以下の構成要素は、図１の映像信号処理装置１、図８の映像信号処理部８２の機能を等価回路として示したものである。入力チャンネルを４チャンネル、出力チャンネルを１チャンネルとした。
９０は入力チャンネル割り当て部であり、図５に示した５ｉｎ１セレクタ等の操作に応じて指定される映像加工パラメータにより制御される。
９１１〜９１４は画質調整部であり、第１〜第４の入力チャンネルの画質調整を行う。図５に示したポジ表示／ネガ表示選択スイッチ２５，トリムボリューム２６，色調整ボリューム２７，色ゲインボリューム２８等の操作に応じて設定される映像加工パラメータによって制御される。
【００６９】
９２１〜９２４は映像配置調整部であり、図５に示したチャンネル共通制御部４１，映像加工パラメータの種類を指定するスイッチ群４２によって設定される、各入力チャンネルの、映像の場所移動（Ｐｏｓｉｔｉｏｎ），多分割表示数（Ｄｉｖｉｓｉｏｎ），映像の反転（Ｒｅｖｅｒｓｅ：左右，上下，両軸），映像のサイズ（Ｓｉｚｅ），歪み（Ｄｉｓｔｏｒｔｉｏｎ：歪み度、ＬＦＯスピード、歪み種類），レイヤ（Ｌａｙｅｒ：レイヤ表示の可否）等のパラメータによって制御される。
９３１〜９３４はゲイン調整部であり、図５に示したフェーダ３２等により設定される映像加工パラメータによって制御される。
９４１〜９４４はオンオフスイッチ部であり、ゲイン調整部９３１〜９３４を通した映像信号を出力するか否かを制御する。図５に示した各チャンネルの使用／不使用を設定するスイッチ２４に応じて設定されるパラメータよって制御される。
【００７０】
９５１〜９５４は、各入力チャンネル１〜４から、クロスゲイン調整部９６への割り当て経路を選択するスイッチ部であり、「Ａ入力」，「Ｂ入力」または「スルー」から１つが選択される。図５に示したクロスフェーダアサインスイッチ３１等の操作に応じた映像加工パラメータによって制御される。ここで、「Ａ入力」，「Ｂ入力」，「スルー」における映像信号入力の結線は、映像信号が加算合成されることを表す。
９６は「Ａ入力」，「Ｂ入力」に割り当てられた２つの映像信号を、互いに反対方向に変化する重みで合成して出力するクロスゲイン調整部であり、図５に示したクロスフェーダ３５、クロスフェード方法を設定する各種のスイッチ３６の操作に応じたパラメータによって制御される。クロスゲイン調整部９６の出力と各入力チャンネルの「スルー」出力との結線は、映像信号が加算合成されることを表す。
【００７１】
９７はメインゲイン調整部であり、図５に示した出力チャンネルフェーダ３４の操作に応じた映像加工パラメータによって制御される。
上述した入力チャンネル割り当て部９０，画質調整部９１、映像配置調整部９２、フェーダ部９３、オンオフスイッチ部９４の操作に応じた映像加工パラメータは、リアルタイム・シーンデータ、アルペジェータ・シーンデータによって一括指定される映像加工パラメータ等によっても制御される。また、ジョグシャトル４４の操作により、任意の映像加工パラメータを調整することもできる。
【００７２】
図１０に示したハードウェア構成では、図１に示した映像信号処理装置１と映像加工パラメータ設定装置２とが、１台の映像処理装置に実装された構成である。これに代えて、両装置の間に接続インターフェースを設けて両者を別装置構成にしたシステムとすることもできる。
また、図１に示した映像信号処理装置１の機能についても、図１０に示したＣＰＵ７２あるいは別のＣＰＵを用いてソフトウェアプログラムによって信号処理することも可能である。
従って、専用の映像処理装置とするに代えて、映像加工パラメータ設定装置２、あるいは、これに、映像信号処理装置１を合わせた機能を実行するソフトウェアプログラムをパーソナルコンピュータにインストールして機能を実現してもよい。
【００７３】
図１２〜図１７は、本発明の実施の一形態の動作例を示すフローチャートである。
図１２は、メインのフローチャートである。このメインルーチンと図１７に示す時間割込処理ルーチンとで実行されるものを説明するが、これに限られるものではない。
また、アルペジェータ自動再生に関係する処理を説明し、それ以外の処理に関してはフローチャートから除いている。また、アルペジェータ自動再生についても、説明を簡単にするため省略した処理がある。
【００７４】
図１２のメインフローチャートは電源投入によって起動する。
Ｓ１０１において初期化され、Ｓ１０２において操作パネル２１上の各操作子の操作を受け付ける。
Ｓ１０３において操作子による映像加工パラメータの値の設定を行い、Ｓ１０４においてチェンジタイム、タップテンポなどのアルペジェータ自動再生に必要な設定を行う。
Ｓ１０５においてアルペジェータシーンの記録を行い、Ｓ１０６においてアルペジェータパターンの作成および記録を行う。
Ｓ１０７において、アルペジェータ自動再生を行い、映像加工パラメータを一括して自動設定する。
Ｓ１０８において、前回このステップを通過したときに比べ、いずれか１つの映像加工パラメータに変化があったか否かを判定する。変化があったときはＳ１０９に処理を進め、変化のあった映像加工パラメータの値を映像信号処理装置１に設定し、映像信号処理装置１に対し、入力映像信号の加工処理を行わせる。
Ｓ１１０において、その他の処理を行い、Ｓ１０２に処理を戻す。
【００７５】
図１３は、図１２に示したアルペジェータシーンの記録ステップＳ１０５の詳細を示すフローチャートである。
このフローチャートに入る条件を判定するステップは省略した。アルペジェータモードになっていること、ただし、アルペジェータパターン格納場所選択モードになっていないこと、アルペジェータ自動再生モードになっていないこと等、既に他のモードになっていないという条件を満たすときにＳ１２１に処理を進める。そうでなければ図１２のメインフローチャートに戻す。
各種のスイッチには発光ダイオード内蔵の自照式のものがあるが、その点灯状態については、フローチャートのステップ中に記載しているが、説明は省略する。
【００７６】
Ｓ１２１において、シーン格納場所選択モードになっているか否かを判定する。そうでなければＳ１２２に処理を進め、シーン記録［ＳＴＲ］スイッチ５６が操作されているか否かを判定する。そうであればＳ１２３に進め、「シーン格納場所選択モード」にする。なお、シフト［Ｓｈｉｆｔ］スイッチ５５の同時操作があるときには、格納場所がＡＢＣからＡ’Ｂ’Ｃ’へと移る。
Ｓ１２４において、シーンスイッチ５４の１つを操作したか否かを判定する。そうであればＳ１２５に処理を進め、操作されたシーンスイッチ５４で指定された格納場所が選択される。立て続けにシーンスイッチ５４が次々と選択される場合もあるが、最後のものが有効となる。
Ｓ１２６において、シーン記録［ＳＴＲ］スイッチ５６が操作されたか否かを判定する。そうであればＳ１２７に処理を進め、図７（ａ）に示したようなシーンデータメモリの、操作されたシーンスイッチ５４で指定される格納場所に、現時点の映像加工パラメータをシーンデータとして一括して格納する。
【００７７】
なお、既にシーンデータが記録されている格納場所が指定されたときには、同じ入力チャンネルの同じ映像加工パラメータの値については、上書きあるいは加算などで書き替えるようにしてもよい。異なるチャンネルあるいは異なる映像加工パラメータの値については、追加記録とすることができる。このようなシーンデータの記録により、複雑な映像加工パラメータの設定ができる。
Ｓ１２８において、消去［ＤＥＬ］スイッチ７２（図６）が操作されたか否かを判定する。そうであればＳ１２９に処理を進め、操作されたシーンスイッチ５４で指定される格納場所に格納されていた映像加工パラメータを消去する。
Ｓ１３０において、キャンセル［Ｃａｎｃｅｌ］スイッチ７３（図６）が操作されたか否かを判定する。そうであれば、Ｓ１３１に処理を進め、シーン格納場所選択モードから出る。
【００７８】
図１４は、図１２に示したアルペジェータパターンの記録ステップＳ１０６の詳細を示すフローチャートである。
このフローチャートに入る条件を判定するステップは省略した。アルペジェータモードになっていること、ただし、アルペジェータシーン格納場所選択モードになっていないこと、アルペジェータ自動再生モードになっていないこと等、既に他のモードになっていないという条件を満たすときにＳ１４１に処理を進める。そうでなければ図１２のメインフローチャートに戻す。
【００７９】
Ｓ１４１において、パターン作成記録モードであるか否かを判定する。そうでなければＳ１４２に処理を進め、パターン記録［ＳＴＲ］スイッチ５３が操作されたか否かを判定する。そうであればＳ１４３に処理を進め、パターン作成記録モードにする。
Ｓ１４４において、パターンスイッチ５１の１つが操作されたか否かを判定する。そうであればＳ１４５に処理を進め、図７（ｂ）に示したアルペジェータパターンメモリの中で、操作されたパターンスイッチ５１で指定される格納場所が選択される。
ここで、既にアルペジェータパターンが格納されている場所であれば、既に説明したように追加記録になる。
Ｓ１４６において、シーンスイッチ５４の順次操作であるか否かを判定する。そうであれば、Ｓ１４７に処理を進め、順次操作されたシーンスイッチ５４により指定されるシーン格納場所およびチェンジタイムダイアル５９により指定されるチェンジタイムの値が一時バッファに順次保持される。
ただし、シーンスイッチ５４の順次操作中において、オペレータが操作を間違えたとき、左方向指示［＜］スイッチ７０を操作したり、右方向指示［＞］スイッチ７１を操作すれば、一時バッファの保持内容を戻すことができる。
【００８０】
Ｓ１４８において、パターン記録［ＳＴＲ］スイッチ５３が操作（再度の操作）されたか否かを判定する。そうであればＳ１４９に処理を進め、図７（ｂ）に示したアルペジェータパターンメモリの中の、操作されたパターンスイッチ５１で指定される格納場所に、一時バッファに保持されていたシーン格納場所，チェンジタイムのパターンを格納する。
Ｓ１５０において、消去［ＤＥＬ］スイッチ７３（図６）が操作されたか否かを判定する。そうであればＳ１５１に処理を進め、操作されたパターンスイッチ５１で指定される格納場所に格納されていたパターンを消去する。
Ｓ１５２において、キャンセル［Ｃａｎｃｅｌ］スイッチ７３が操作されたか否かを判定する。そうであればＳ１５３に処理を進め、パターン作成記録モードから出てメインフローチャートに戻る。
なお、上述したフローチャートでは、ビュー［Ｖｉｅｗ］スイッチ５８（図６）の操作に応じた処理については省略した。
【００８１】
図１５は、図１２に示したアルペジェータ自動再生ステップの詳細を示す第１のフローチャートである。
このフローチャートに入る条件を判定するステップは省略した。アルペジェータモードになっていること、ただし、アルペジェータシーン格納場所選択モード，アルペジェータパターン格納場所選択モードなどの他のモードになっていないという条件を満たすときにＳ１６１に処理を進める。そうでなければ図１２のメインフローチャートに戻す。
このフローチャートでは、アルペジェータ自動再生モード中の再生スイッチ６７の再操作について、図４（ｄ）、図９（ａ）のような単純なケースの処理のみを示している。トリガスイッチ６６の操作を検出したときについても説明しているが、一時停止スイッチ６８，パターンスイッチ５１等の操作を検出したときの処理については省略した。
【００８２】
Ｓ１６１において、パターンスイッチ５１の１つを操作したか否かを判定する。そうであればＳ１６２に処理を進め、そうでなければＳ１６４に処理を進める。アルペジェータパターンが格納されている領域に対応したパターンスイッチ５１は既に点灯しているが、Ｓ１６２において、その操作を判定した１つのパターンスイッチ５１のみを点滅状態にする。
Ｓ１６３において、アルペジェータ自動再生モードであるか否かを判定する。そうでなければＳ１６４に処理を進め、再生スイッチ６７が操作されたか否かを判定し、そうであればＳ１６６に処理を進め、アルペジェータ自動再生モードにする。
【００８３】
自動再生モード中においても、Ｓ１６５において、再生スイッチ６７が操作されたか否かを判定する。そうであればＳ１６７に処理を進め、リセットフラグを１にセットし、再スタートフラグを１にセットする。リセットフラグは、図１７の割込処理において時間計測をリセットさせ拍位置にする。
Ｓ１６８において、トリガスイッチ６６が操作されたか否かを判定する。そうであればＳ１６９に処理を進め、リセットフラグを１にセットし、トリガフラグを１にセットする。
Ｓ１７０において、キャンセル［Ｃａｎｃｅｌ］スイッチ７３が操作されたか否かを判定する。そうであればＳ１７１に処理を進め、アルペジェータ自動再生モードから出る。
【００８４】
Ｓ１７２において、ダイアル／タップ切り替えスイッチ６５の操作によって、メインテンポが選択されたか否かを判定する。そうであればＳ１７３に処理を進め、メインテンポの拍位置であるか否かを判定し、そうでなければＳ１７４に処理を進め、サブテンポの拍位置であるか否かを判定し、いずれの場合も、拍位置であればＳ１７５に処理を進め、そうでなければ図１６のＳ１７９に処理を進める。
Ｓ１７５において、メインテンポまたはサブテンポ表示用発光ダイオードを一瞬点灯させる。ただし、Ｓ１７３から処理が進められたときはメインテンポ表示用の発光ダイオード６４を点灯させ、Ｓ１７４から処理が進められたときはサブテンポ表示用の発光ダイオード６３を点灯させる。
後述する図１６のＳ１８０で開始されたクロスフェード補間処理を完了させ、Ｓ１７６に処理を進める。この補間処理の完了時には、シーンデータによって一括指定された映像制御パラメータの値になっている。
【００８５】
Ｓ１７６において、トリガフラグが１（Ｓ１６９でセットされる）のときはＳ１７７に処理を進め、再スタートフラグが１（Ｓ１６７でセットされる）のときはＳ１７８に処理を進め、その他のときは図１６のＳ１７９に処理を進める。
Ｓ１７７においては、パターンスイッチ５１（Ｓ１６１で選択されたもの）で指定された次のシーンデータにより一括指定される映像加工パラメータの値を得る。トリガフラグを０に戻し、図１６のＳ１７９に処理を進める。
一方、Ｓ１７８において、パターンスイッチ５１（Ｓ１６１で選択されたもの）で指定された現在のシーンデータにより一括指定される映像加工パラメータの値を得る。再スタートフラグを０に戻し、図１６のＳ１７９に処理を進める。
【００８６】
図１６は、図１２に示したアルペジェータ自動再生ステップの詳細を示す第２のフローチャートである。
Ｓ１７９において、図１７を参照して後述する時間計測値がチェンジタイム（％）に対応する値（時間）になったか否かを判定する。そうであればＳ１８０に処理を進め、クロスフェード補間処理を開始する。
すなわち、パターンスイッチ５１（Ｓ１６１で選択されたもの）で指定された次のシーンデータを読み出し、このシーンデータにより一括指定される映像加工パラメータを、次の拍位置におけるパラメータとして取得しておく。
チェンジタイムに対応する値になったタイミングにおける映像加工パラメータの現在値と、次の拍位置における上述した映像加工パラメータの値との、クロスフェード補間処理を開始させ、図１２に示したメインフローチャートに戻る。
【００８７】
図１７は、図１２に示したメインの処理と同時に行われる割込処理のフローチャートである。タイマに従って割込処理される。
アルペジェータ自動再生モードおよびアルペジェータ・プッシュンプッシュモードの場合に必要な処理である。
Ｓ１９１において、メインテンポが選択中であるか否かを、ダイアル／タップ切り替え［Ｄｉａｌ／ＴＡＰ］スイッチ６５の操作状態を検出することにより判定する。そうであればＳ１９２に処理を進めるが、そうでなければＳ１９３に処理を進める。  Ｓ１９２において、リセットフラグ＝１であるか否かを判定する。そうでなければＳ１９３に処理を進め、そうであればＳ１９４に処理を進めてリセットフラグを１に戻し、Ｓ１９６まで処理を進める。
Ｓ１９３において、メイン時間（ｔｍ）の計測を行う。すなわち、Δｔｍを加算する。Ｓ１９５において、時間計測がテンポタップスイッチ６３で設定されたメインテンポの１周期（ｔｅｍｐｏｍ）に達したか否かを判定する。そうであればＳ１９６に処理を進め、メイン時間計測をリセット（ｔｍ←０）し、メインの拍タイミング（メインテンポの拍位置であることを示す）を出力する。
【００８８】
次のＳ１９７〜Ｓ２０２においても、同様の処理を行い、Ｓ１９９においてサブ時間（ｔｓ）の計測を行い、時間計測がテンポタップスイッチ６３とテンポダイアル６１で設定されたサブテンポの１周期（ｔｅｍｐｏｓ）に達したとき、および、Ｓ２００においてリセットフラグが０に戻されたときには、Ｓ２０２において、サブの時間計測をリセット（ｔｓ←０）し、サブの拍タイミング（サブテンポの拍位置であることを示す）を出力する。
上述したように、メインテンポとサブテンポは独立し、タイマ割込毎に、同時に時間計測が行われ、選択されている側のテンポは、リセットフラグ（図１５のＳ１６７あるいはＳ１６９においてセットされた）によってリセットされ拍タイミング信号を出力している。
【００８９】
上述した図１５〜図１７において、再生スイッチ６７を操作したときには、Ｓ１６３−Ｓ１６４−Ｓ１６６−［リターン］によって自動再生モードになる。
その後、時間計測によりチェンジタイムに対応するタイミングになれば、Ｓ１６３−…−Ｓ１７９−Ｓ１８０となって、最初のシーンａ１データが読み出され、映像加工パラメータを一括指定することにより、次の拍位置で設定される複数の映像加工パラメータの値を取得する。この映像加工パラメータの値と、それぞれ対応する複数の映像加工パラメータの現在の設定値との間で、クロスフェード補間処理をする。
さらにその後、次の時間計測により拍位置（例えば、メイン系統の拍位置とする）となれば、Ｓ１６３−…−Ｓ１７２−Ｓ１７３−Ｓ１７５となって、補間処理を完了させる。このとき、この拍位置での設定のためにＳ１８０で読み出されていたシーンデータにより一括指定される、複数の映像加工パラメータの値になって、図１２のＳ１０９において映像信号処理装置１に設定される。
【００９０】
また、自動再生モード中において、図９（ａ）に示したタイミング条件で再び再生スイッチ６７を操作したときは、Ｓ１６５−Ｓ１６７−［リターン］によって、リセットフラグが１にセットされる。図１７のＳ１９４においてリセットフラグが０に戻された上で、Ｓ１９６において拍タイミング信号が出力され拍位置となる。また、再スタートフラグが１にセットされる。
従って、次に、Ｓ１７２−Ｓ１７３−Ｓ１７５−Ｓ１７６−Ｓ１７８となって、現在のシーンｂ１データによって一括指定されている複数の映像加工パラメータの値を取得して、図１２のＳ１０９において映像信号処理装置１に設定することになる。
自動再生モード中において、図９（ｅ）に示したようなタイミング条件でトリガスイッチ６６の操作が検出されたときには、Ｓ１６８−Ｓ１６９−［リターン］において、リセットフラグが１にセットされる。図１７のＳ１９６において、拍タイミング信号が出力され拍位置となるとともに、また、トリガフラグが１にセットされる。次に、Ｓ１７２−Ｓ１７３−Ｓ１７５−Ｓ１７６−Ｓ１７７となって、次のシーンｃ１データによって一括指定されている複数の映像加工パラメータの値を得て、図１２のＳ１０９において映像信号処理装置１に設定する。
【００９１】
図示を省略したが、一時停止スイッチ６８の操作が検出されたときには、トリガフラグを０のままにしておくとともに、チェンジタイムが来てもＳ１８０のクロスフェード補間処理を開始させなければよい。一時停止スイッチ６８が再度操作されて一時停止を解除するときには、再び、Ｓ１８０のクロスフェード補間処理を行うようにすればよい。
また、先頭戻りスイッチ６９の操作が検出されたときには、トリガフラグを０のままにしておくとともに、チェンジタイムが来てもＳ１８０のクロスフェード補間処理を開始させない。拍位置になったときには、Ｓ１７８に代わるものとして、現在のパターンスイッチ５１で指定された最初のシーンａ１データにより一括指定される映像加工パラメータの値を得て、図１２のＳ１０９において映像信号処理装置１に設定する。
パターンスイッチ５４の操作が検出されたときも、先頭戻りスイッチ６９と同様であり、拍位置になったときには、Ｓ１７８に代わるものとして、検出したパターンスイッチ５４で指定されたアルペジェータパターン（２）の最初のシーンａ２データにより一括指定される映像加工パラメータの値を取り出せばよい。
【００９２】
上述した説明では、再生スイッチ６７の最初の操作について、図４（ｃ），図４（ｅ）に示したような、操作タイミングと、拍位置、チェンジタイムとの相互関係によって、異なる処理を行う場合のステップについては、説明を省略した。しかし、相互関係を検出して、それぞれに対応した処理ステップに進むようにすればよい。他のスイッチの操作についても、同様に、操作タイミングと、拍位置、チェンジタイムとの相互関係によって、異なる処理を行う必要があるが、これらの場合も、同様に、相互関係を検出して、それぞれに対応した処理ステップに進むようにすればよい
【００９３】
上述した説明では、映像信号をリアルタイムに入力してリアルタイムで信号処理をして出力していたが、データファイル化されて記録された映像信号を処理して、処理後の映像信号をファイル化して再び記録したり、リアルタイムで再生する場合にも本発明を適用可能である。
【００９４】
【発明の効果】
本発明は、上述した説明から明らかなように、複雑なパラメータの設定であってもオペレータの簡単な操作で一括して行えるとともに、オペレータの意図に合う映像加工を自動的に切り替えることができるという効果がある。
その結果、映像オペレータの操作を補助して、変化に富んだ映像加工を継続させることが可能となる。一般のユーザが映像オペレータとなって面白く飽きのこない映像を作り込む負担を軽減させることができる。
【図面の簡単な説明】
【図１】本発明の映像加工パラメータ設定装置の実施の一形態を説明するための機能構成図である。
【図２】図１に示した機能構成によるシーンデータの切り替え方法を示す説明図である。
【図３】図１に示した機能構成による映像効果の一具体例を示す表示画面の説明図である。
【図４】図１に示した機能構成によるシーンデータの変更処理を示す第１の説明図である。
【図５】図１に示した機能構成を実現する映像処理装置の操作パネルの一具体例を示す説明図である。
【図６】図５に示した操作パネルの一部分を示す説明図である。
【図７】図１に示した機能構成におけるシーンデータおよびアルペジェータパターンを示すメモリ構成図である。
【図８】図１に示した機能構成における切り替えタイミング出力部５の機能を示す説明図である。
【図９】図１に示した機能構成によるシーンデータの変更処理を示す第２の説明図である。
【図１０】図１に示した機能構成を実現する映像処理装置のハードウェア構成例を示すブロック図である。
【図１１】図１に示した機能構成における映像信号処理装置を説明するための信号経路図である。
【図１２】本発明の実施の一形態の動作例を示すメインのフローチャートである。
【図１３】図１２に示したアルペジェータシーンの記録ステップＳ１０５の詳細を示すフローチャートである。
【図１４】図１２に示したアルペジェータパターンの記録ステップＳ１０６の詳細を示すフローチャートである。
【図１５】図１２に示したアルペジェータ自動再生ステップの詳細を示す第１のフローチャートである。
【図１６】図１２に示したアルペジェータ自動再生ステップの詳細を示す第２のフローチャートである。
【図１７】図１２に示したメインの処理と同時に行われる割込処理のフローチャートである。
【符号の説明】
１…映像信号処理装置、２…映像加工パラメータ設定装置、３…パラメータ値一括指定部、４…変更処理部、５…切り替えタイミング出力部、６…シーンデータメモリ、７…アルペジェータパターンメモリ、８…拍タイミング発生部
【図１】
2004289742.tif 000003
【図２】
2004289742.tif 000004
【図３】
2004289742.tif 000005
【図４】
2004289742.tif 000006
【図５】
2004289742.tif 000007
【図６】
2004289742.tif 000008
【図７】
2004289742.tif 000009
【図８】
2004289742.tif 000010
【図９】
2004289742.tif 000011
【図１０】
2004289742.tif 000012
【図１１】
2004289742.tif 000013
【図１２】
2004289742.tif 000014
【図１３】
2004289742.tif 000015
【図１４】
2004289742.tif 000016
【図１５】
2004289742.tif 000017
【図１６】
2004289742.tif 000018
【図１７】
2004289742.tif 000019